(57)【要約】【課題】作業員の体が誤って盤上操作部に接触することによる、盤上操作部の誤操作や破損を防止すること。【解決手段】盤面１２に固定する一対の支持脚１３１に、一対のシート保持軸１１２を回転自在に支持させ、これらのシート保持軸１１２に一対のシート１１３をそれぞれ巻回自在に保持させ、これらのシート１１３の自由端同士を締結部材、例えば線ファスナー１１４によって段階的に着脱自在に連結すると共に、規制部ＲＭによってシート保持軸１１２の回転を解除自在に規制する。一対の支持脚１３１は、盤面１２に配置された盤上操作部１３の高さよりも線ファスナー１１４によって連結された一対のシート１１３を高い位置に位置付け、これらのシート１１３に、盤上操作部１３に触れてはならないという注意喚起機能と、作業員の不注意な動作から盤上操作部１３を保護する保護機能とを果たさせるようにした。【選択図】図２
2013074744.tif 000002
【特許請求の範囲】
【請求項１】
同一幅を有する一対のシートと、
前記一対のシートをそれぞれ巻回保持する一対のシート保持軸と、
装着対象となる盤面に固定され、当該盤面に配置された盤上操作部の高さよりも前記シートを高い位置に位置付けて前記一対のシート保持軸をそれぞれ回転自在に支持する一対の支持脚と、
前記一対のシートのそれぞれの自由端に設けられ、これらの一対のシートを段階的に着脱自在に連結する締着部材と、
前記一対のシート保持軸の回転を解除自在に規制する規制部と、
を備えることを特徴とする盤面保護装置。
【請求項２】
前記一対のシート保持軸のそれぞれの端部に、当該一対のシート保持軸に対する回転操作を受け付ける操作部を備える、ことを特徴とする請求項１に記載の盤面保護装置。
【請求項３】
前記一対のシート保持軸の端部からそれぞれ前記一対の支持脚に沿って延びる一対の操作基部と、
前記一対の操作基部の自由端に前記シート保持軸の軸方向と直交する軸回りに回転自在に取り付けられ、前記支持脚の側に倒れこむ規制位置と当該支持脚から離反する側に立ち上がる操作位置とに変位するハンドルと、
前記支持脚に設けられて、前記シート保持軸の回転に伴う前記規制位置に位置する前記ハンドルの移動軌跡と干渉する干渉部と、
を備え、
前記ハンドルが前記規制位置に位置する場合に前記規制部として機能し、前記ハンドルが前記操作位置に位置する場合に前記操作部として機能する、
ことを特徴とする請求項２に記載の盤面保護装置。
【請求項４】
前記一対の支持脚のそれぞれに、前記一対のシート保持軸のそれぞれに前記シートを巻き取る方向の付勢力を与えるリワインド機構を備える、ことを特徴とする請求項１に記載の盤面保護装置。
【請求項５】
前記締着部は、前記一対のシートのそれぞれの自由端に設けられて互いに噛み合う一対の務歯と、これらの務歯にスライド自在に取り付けられてスライドすることで前記一対の務歯の噛み合いとその解除とを制御するスライダーと、を備える線ファスナーによって形成されている、ことを特徴とする請求項１ないし４のいずれか一に記載の盤面保護装置。
【請求項６】
前記線ファスナーは、前記シートの中央部から側端部に向けてスライドすることによって前記一対の務歯の噛み合いを開放する一対のスライダーを有している、ことを特徴とする請求項５に記載の盤面保護装置。
【請求項７】
前記一対の支持脚のそれぞれを、前記盤面に着脱自在に固定する、ことを特徴とする請求項１ないし６のいずれか一に記載の盤面保護装置。
【請求項８】
前記一対の支持脚のそれぞれの底部に、前記盤面に磁力で吸着されるマグネットを備える、ことを特徴とする請求項７に記載の盤面保護装置。
【請求項９】
同一幅を有する一対のシートと、
前記一対のシートをそれぞれ巻回保持する一対のシート保持軸と、
装着対象となる盤面に固定され、当該盤面に配置された盤上操作部の高さよりも前記シートを高い位置に位置付けて前記一対のシート保持軸をそれぞれ回転自在に支持する一対の支持脚と、
前記一対のシートのそれぞれの自由端に、互いに噛み合う一対の務歯と、前記シートの中央部から側端部に向けてスライドすることで前記一対の務歯の噛み合いを開放する一対のスライダーとを有し、前記一対のシートを部分的に開放自在に連結する線ファスナーと、
前記一対のシート保持軸の回転を解除自在に規制する規制部と、
前記一対の支持脚のそれぞれに設けられ、前記一対のシート保持軸のそれぞれに前記シートを巻き取る方向の付勢力を与えるリワインド機構と、
を備える盤面保護装置を用い、
前記盤面に設けられた盤上操作部を前記線ファスナーで連結された前記一対のシートで覆うことができる位置に前記盤面保護装置を装着する工程と、
前記一対のシートで覆われた前記盤上操作部に操作の必要が生じた場合、前記規制部による前記一対のシート保持軸の回転を解除し、一方の前記シートの引き出しともう一方の前記シートの巻き戻しとを行なって当該操作の必要が生じた盤上操作部の位置と前記線ファスナー位置とを位置合わせ、その後、規制部により前記一対のシート保持軸の回転を規制する工程と、
前記一対のスライダーを互いに離反する方向にスライドさせて、前記操作の必要が生じた盤上操作部の部分で前記一対のシートの連結を開放する工程と、
前記操作の必要が生じた盤上操作部の操作完了後、前記一対のスライダーを互いに近接する方向にスライドさせて、前記一対のシートの開放部分を閉じる工程と、
を備えることを特徴とする盤面保護使用方法。
【発明の詳細な説明】
【技術分野】
【０００１】
本発明は、例えば配電盤などの盤面に設置され、盤面上に配置されているスイッチやリレーなどの盤上操作部を保護するための盤面保護装置、及び盤面保護使用方法に関する。
【背景技術】
【０００２】
発変電所では、配電盤を納める配電盤室内での作業に際して、配電盤の盤上に配置されているスイッチやリレーなどの盤上操作部に作業員の体が触れ、運転中の盤上操作部を誤操作してしまったり、それらの盤上操作部を破損してしまったりする可能性がある。従来は、その対策として、作業対象外の配電盤の盤面全体をビニールシートで覆ってガムテープなどで貼り付けたり、作業対象外である盤上操作部にビニールテープを直接貼り付けたりしている。こうすることで、操作してはならない盤上操作部を視覚的に示して注意を喚起することができる。
【０００３】
ところが、いずれの対策も、作業者に注意の喚起を促すに過ぎず、作業員の体が誤って盤上操作部に接触することに対しては、何ら規制力を及ぼすものではない。したがって、それらの対策は、運転中の盤上操作部の誤操作や破損という問題に対して、根本的な解決をもたらさない。
【０００４】
その他、ビニールシートやビニールテープを用いる上記二種類の対策は、個々に特有の問題を抱えている。次の通りである。
【０００５】
まず、配電盤の盤面全体をビニールシートで覆う対策を採用すると、ビニールシートによって配電盤からの熱の発散が妨げられるため、夏季には機器類の不調を招き易い。しかも、全体をビニールシートで覆った盤面中の一部の盤上操作部に操作の必要性が生じた場合、ビニールシート全体を一度外すか、必要箇所をカッターナイフで切ったりしなければならず、極めて煩わしい。
【０００６】
これに対して、盤上操作部にビニールテープを直接貼り付ける対策を採用すれば、上記配電盤の盤面全体をビニールシートで覆った場合の不都合が生じない。しかしながらこの場合、ビニールテープを貼り付けたり取り去ったりする単位が、一つ乃至数個程度の盤上操作部の単位とならざるを得ないため、些か煩雑の感を免れない。これに加えて不都合なことは、ビニールテープを剥がした後の状態である。つまり、ビニールテープは、剥がした後の盤上操作部に粘着物質を残すため、これが汚れの原因になったり、その後に操作した指をベトベトにしてしまったりして、甚だ思わしくない。
【０００７】
このように、ビニールシートやビニールテープを用いる従来の対策には、数々の不都合があり、その抜本的な解決が望まれている。
【０００８】
この点、特許文献１には、制御盤の上部に固定したシート（表示シート）を掛け軸のようにして下方に垂らし、シートに配電盤が実働中であることを表示するようにした発明が記載されている。
【０００９】
特許文献２には、制御盤の上部に下方に向けて引き下ろすことができるロールスクリーンのようなシート（防護シート）を装着することが記載されている。
【００１０】
特許文献３には、制御盤の上部に下方に向けて引き下ろすことができるロールスクリーンのようなシート（防護シート）の昇降機構を上下に二列配置し、盤面を部分的に覆うことができるようにすることが記載されている。
【００１１】
特許文献４には、配電盤などの電気機器の表面を覆うシート（保護カバー）に、務歯を縦にスライドさせることで開閉する線ファスナーを複数列設けた発明が記載されている。この発明において特有な点は、一つの線ファスナーに対して一対のスライダーを設けていることであろう。これらの一対のスライダーは、互いに近接することで線ファスナーを閉じ、互いに離反することで線ファスナーを開く。そこで、シートで覆った盤上操作部の一部に操作の必要が生じた場合、その盤上操作部の前面に一対の務歯を位置付け、その後、その一対の務歯を互いに離反させる。これにより、操作を必要とする盤上操作部の部分だけ、シートを開放することができる。
【先行技術文献】
【特許文献】
【００１２】
【特許文献１】特開２００６−２２３０７２公報
【特許文献２】特開平０８−００９５２１号公報
【特許文献３】特開２００７−２６７４７４公報
【特許文献４】特開２００８−０２９１１９公報
【発明の概要】
【発明が解決しようとする課題】
【００１３】
先に、作業対象外の配電盤の盤面全体をビニールシートで覆ってガムテープなどで貼り付けたり、作業対象外である盤上操作部にビニールテープを直接貼り付けたりした場合に生ずる問題点について言及した。これらの問題点を整理すると、
（問題点１）
注意を喚起するのみで、盤上操作部の保護に欠ける（共通の問題点）
（問題点２）
配電盤からの発熱を妨げる（ビニールシートの問題点）
（問題点３）
一部の盤上操作部の操作が必要になった場合、作業が煩雑（ビニールシートの問題点）
（問題点４）
ビニールテープの貼り付け及び取り去り作業が煩雑（ビニールテープの問題点）
（問題点５）
取り去った後に粘着物質が残る（ビニールテープの問題点）
ということになる。
【００１４】
この出願の発明者は、これらの問題点の解決が期待される先行技術文献として、上記特許文献１〜４を見出した。しかしながら、これらの各文献に記載の発明は、問題点１〜５を全て解決することができないことはもとより、極めて残念なことは、問題点１、つまり、作業員の体が誤って盤上操作部に接触し、運転中の盤上操作部に誤操作が生じたり、盤上操作部が破損したりするという問題の解決あたわず、ということにある。この問題は、盤上操作部の保護、いわば盤上操作部に対する保護機能の実現ということであり、この出願の発明者は、配電盤のメンテナンス作業をしてきた今までの経験から、その解決を強く希求するものである。以下、各文献が解決する課題と解決しない課題とを整理する。
【００１５】
特許文献１に記載の発明は、問題点２、４、５の解決を期待させるものではあるが、問題点１、３を解決するものではない。
【００１６】
特許文献２に記載の発明は、問題点２〜５の解決を期待させるものではあるが、問題点１を解決するものではない。しかも、問題点３の解決は、シートの自動巻上げという機構によって実現するわけであるが、シートを巻き上げてしまうと、操作が不要な、というよりはむしろ、操作してはならない盤上操作部までも大々的に露出させてしまい、注意喚起機能すら果たし得なくなってしまうという、新たな問題が生ずる。ここではこの問題点を、
（問題点６）
操作してはならない盤上操作部を大々的に露出させてしまう
として整理する。
【００１７】
この点、特許文献２に記載の発明と類似の構造を開示する特許文献３に記載の発明は、ロールスクリーンのようなシート（防護シート）の昇降機構を上下に二列配置している分、盤上操作部の開放領域をより狭めることができる。しかしながら、操作してはならない盤上操作部までも大々的に露出させてしまうという点については、程度の差こそあれ特許文献２に記載の発明と共通しており、この問題点を抜本的に解決するものではない。なお、特許文献３に記載の発明も特許文献２に記載の発明と同様、問題点１を解決することができない。
【００１８】
特許文献４に記載の発明は、問題点２〜５の解決を期待させるものではあるが、問題点１を解決するものではない。もっとも、問題３の解決に関しては、特許文献２、３に記載の発明に対して、操作が必要となった盤上操作部だけを狙い撃ちして開放することができる点で、優位性を持つ。ところが、ここで浮上する新たな問題は、線ファスナーを複数例必要とする、ということである。ここではこの問題点を、
（問題点７）
同種の部品（線ファスナー）を複数個必要とする
として整理する。
【００１９】
本発明は、このような点に鑑みなされたもので、上記問題点１〜７の問題、とりわけ問題点１の問題、つまり、作業員の体が誤って盤上操作部に接触し、運転中の盤上操作部に誤操作が生じたり、盤上操作部が破損したりするという問題に対して、根本的な解決をもたらすことである。
【課題を解決するための手段】
【００２０】
本発明の盤面保護装置は、同一幅を有する一対のシートと、前記一対のシートをそれぞれ巻回保持する一対のシート保持軸と、装着対象となる盤面に固定され、当該盤面に配置された盤上操作部の高さよりも前記シートを高い位置に位置付けて前記一対のシート保持軸をそれぞれ回転自在に支持する一対の支持脚と、前記一対のシートのそれぞれの自由端に設けられ、これらの一対のシートを段階的に着脱自在に連結する締着部材と、前記一対のシート保持軸の回転を解除自在に規制する規制部と、を備えることによって上記課題を解決する。
【００２１】
本発明の盤面保護使用方法は、同一幅を有する一対のシートと、前記一対のシートをそれぞれ巻回保持する一対のシート保持軸と、装着対象となる盤面に固定され、当該盤面に配置された盤上操作部の高さよりも前記シートを高い位置に位置付けて前記一対のシート保持軸をそれぞれ回転自在に支持する一対の支持脚と、前記一対のシートのそれぞれの自由端に、互いに噛み合う一対の務歯と、前記シートの中央部から側端部に向けてスライドすることで前記一対の務歯の噛み合いを開放する一対のスライダーとを有し、前記一対のシートを部分的に開放自在に連結する線ファスナーと、前記一対のシート保持軸の回転を解除自在に規制する規制部と、前記一対の支持脚のそれぞれに設けられ、前記一対のシート保持軸のそれぞれに前記シートを巻き取る方向の付勢力を与えるリワインド機構と、を備える盤面保護装置を用い、（１）前記盤面に設けられた盤上操作部を前記線ファスナーで連結された前記一対のシートで覆うことができる位置に前記盤面保護装置を装着する工程と、（２）前記一対のシートで覆われた前記盤上操作部に操作の必要が生じた場合、前記規制部による前記一対のシート保持軸の回転を解除し、一方の前記シートの引き出しともう一方の前記シートの巻き戻しとを行なって当該操作の必要が生じた盤上操作部の位置と前記線ファスナー位置とを位置合わせ、その後、規制部により前記一対のシート保持軸の回転を規制する工程と、（３）前記一対のスライダーを互いに離反する方向にスライドさせて、前記操作の必要が生じた盤上操作部の部分で前記一対のシートの連結を開放する工程と、（４）前記操作の必要が生じた盤上操作部の操作完了後、前記一対のスライダーを互いに近接する方向にスライドさせて、前記一対のシートの開放部分を閉じる工程と、を備えることによって上記課題を解決する。
【発明の効果】
【００２２】
本発明は、次の効果を有する。
（１）連結した一対のシートは、盤面に配置された盤上操作部の高さよりも高い位置に位置付けられ、この位置で規制部によってシート保持軸からの引き出しが規制されるので、盤上操作部に触れてはならないという注意喚起機能を果たすのみならず、作業員の不注意な動作から盤上操作部を保護する保護機能を果たすことができる。
（２）連結したシートが盤面を密閉しないため、盤面からの発熱を効率よく放熱することができ、盤面を有する機器類を熱による不調から保護することができる。
（３）一対のシートが覆う盤上操作部の一部に操作が必要になった場合、締結部材による一対のシートの連結を解除することで、煩雑な作業を要することなく容易に目的とする盤上操作部を開放し、これを操作可能とすることができる。
（４）盤面に一対の支持脚を固定するだけで、容易に盤面保護装置を装着することができる。しかも、盤面保護装置は、一対のシートによって盤上操作部を覆う必要がない場合、これらのシートを一対のシート保持軸に巻き取らせて盤面を開放するという運用を採用することもできるので、この場合には、盤面保護装置を盤面に固定しっ放しにすることができ、再度の装着の煩から作業者を解放することができる。
（５）盤面保護装置は、ビニールテープを盤上操作部に貼り付けるものではないので、盤上操作部に粘着物質を残すことがなく、盤上操作部を操作した指が粘着物質でベトベトになるというような不都合が生じない。
（６）連結した一対のシートが覆う盤上操作部の一部に操作が必要になった場合、規制部による一対のシート保持軸の回転を解除し、一方のシートの引き出しともう一方のシートの巻き戻しとを行なって当該操作の必要が生じた盤上操作部の位置に締結部材を位置合わせし、その後、規制部により前記一対のシート保持軸の回転を規制した上で、締結部材による一対のシートの連結の一部を解除するようにすれば、操作してはならない盤上操作部を大々的に露出させることなく、操作が必要となった盤上操作部を開放し、これを操作可能とすることができる。
（７）上記（６）の操作をすることで、締結部材を複数列設けることなく、操作が必要となった盤上操作部を開放し、これを操作可能とすることができる。
【図面の簡単な説明】
【００２３】
【図１】配電盤の盤面中、盤面上に配置されている盤上操作部の保護を要する箇所を例示する模式図。
【図２】第一及び第二の実施の形態を示す装置全体の正面図。
【図３】装置全体の側面図。
【図４】装置全体の平面図。
【図５】シート保持軸を回転操作するための操作部とその回転を規制する規制部との構造を示す側面図。
【図６】その平面図。
【図７】第三及び第四の実施の形態を示す装置全体の正面図。
【発明を実施するための形態】
【００２４】
図１に模式的に示すように、本実施の形態は、配電盤１１の盤面１２に設置され、盤面１２上に配置されているスイッチやリレーなどの盤上操作部１３を保護するための盤面保護装置１１１（図２参照）、及び盤面保護使用方法に関する。図１中、１０１で示す太枠の箇所が、盤上操作部１３の保護を要する領域である。この領域１０１に、盤面保護装置１１１を設置する。
【００２５】
１．第一の実施の形態
盤面保護装置１１１及び盤面保護使用方法の第一の実施の形態を、図１ないし図６に基づいて説明する。
≪盤面保護装置１１１の構造≫
図２は、盤面保護装置１１１の第１の実施の形態を示す装置全体の正面図、図３は、その側面図、図４は、その平面図である。盤面保護装置１１１は、概略、上下に同一幅を有する一対のシート１１３のそれぞれを、一対のシート保持軸１１２によって巻回自在に保持し、これらのシート保持軸１１２のそれぞれを一対の支持脚１３１によって回転自在に支持する構造のものである。このような盤面保護装置１１１が備えるその他の重要な構成は、締結部材としての線ファスナー１１４、操作部ＷＭ、及び規制部ＲＭである。線ファスナー１１４は、一対のシート１１３のそれぞれの自由端を段階的に着脱自在に連結するためのものである。操作部ＷＭは、一対のシート保持軸１１２を回転操作するためのものである。規制部ＲＭは、一対のシート保持軸１１２の回転を解除自在に規制するためのものである。以下、各部の詳細を説明する。
【００２６】
一対のシート１１３は、透光性と柔軟性とを有するシート状の部材である。透光性を有するのは、シート１１３が覆う盤上操作部１３を視認可能とするためである。柔軟性を有するのは、シート保持軸１１２によって引き出し自在に巻き取られる必要性からである。透光性及び柔軟性を確保するという点から、シート１１３は、一例として、透明樹脂フィルムによって実現可能である。あるいは、シート１１３が覆う配電盤１１の盤面１２からの発熱を効率よく放熱するという目的から、透明樹脂フィルムに多数の細孔を形成したり、繊維をメッシュ状に編んだ部材によってシート１１３を実現したりしてもよい。また、シート１１３として透明樹脂フィルムを用いる場合、ある程度の透光性を確保できるのであれば、乳白色などの半透光性のフィルムや、彩色を施したフィルムを用いてもよい。このような半透光性のフィルムや彩色を施したフィルムは、盤面１２上において、一部の盤上操作部１３を保護していることを作業者に示す注意喚起機能を向上させる。
【００２７】
一対のシート保持軸１１２をそれぞれ支持する一対の支持脚１３１は、シート保持軸１１２の両端をそれぞれ回転自在に支持する一対の柱状部材からなる。図面では示さないが、支持脚１３１は、シート保持軸１１２を抜け止めした状態で回転自在に保持している。このような支持脚１３１は、盤面１２に対して固定端側に固定基部１３２を備えている。固定基部１３２は、マグネット１３３を底部に備えている。マグネット１３３は、配電盤１１の盤面１２に磁力で吸着し、盤面保護装置１１１を盤面１２に着脱自在に固定する。
【００２８】
支持脚１３１において重要なことは、一対のシート１１３の保持高さを、盤面１２に配置された盤上操作部１３の高さよりも高い位置に位置付ける、ということである。図３及び図４を参照されたい。
【００２９】
線ファスナー１１４は、一対のシートのそれぞれの自由端に設けられて、互いに噛み合う一対の務歯１１５を備えている。これらの務歯１１５には、スライダー１１６がスライド自在に取り付けられ、終端部にはリテイナー１１７が取り付けられている。スライダー１１６は、リテイナー１１７の部分で一対の務歯１１５を噛み合わせ、スライド移動することによって一対の務歯１１５の噛み合いとその解除とを制御する。図２に示す例では、スライダー１１６が最下位置に位置付けられ、この位置で一対の務歯１１５に設けられた図示しないストッパに塞き止められている。この状態は、一対の務歯１１５が全体的に噛み合った状態である。この状態からスライダー１１６を上方に向けてスライド移動させると、スライダー１１６よりも下方の位置で一対の務歯１１５の噛み合いが解除される。スライダー１１６をリテイナー１１７の部分に位置付ければ、一対の務歯１１５を完全に離反させることができる。
【００３０】
以上説明した線ファスナー１１４は、例えば樹脂などの非導電性の材質によって全体が形成されていることが望ましい。
【００３１】
図５は、シート保持軸１１２を回転操作するための操作部ＷＭと、その回転を規制する規制部ＲＭとの構造を示す側面図、図６は、その平面図である。これらの操作部ＷＭと規制部ＲＭとは、互いに、一対の盤面保護装置１１１にそれぞれ設けられた一対のハンドル１１９を共通の構造として利用し合っている。
【００３２】
つまり、一対のシート保持軸１１２の一端側のそれぞれには、一対の操作基部１１８が設けられている。これらの操作基部１１８のそれぞれは、一対の支持脚１３１に沿って延びている。ハンドル１１９は、この操作基部１１８の端部に回転自在に取り付けられている。回転軸の方向は、シート保持軸１１２の軸方向と直交する方向である。それ故、ハンドル１１９は、支持脚１３１の側に倒れこむ規制位置（図５中、仮想線で示す）と、支持脚１３１から離反する側に立ち上がる操作位置（図５中、実線で示す）とに変位する。支持脚１３１は、規制位置に倒れこんだハンドル１１９を位置付けるための開口ＯＰを有しており、この開口ＯＰ内の側壁は、シート保持軸１１２の回転に伴い規制位置に位置するハンドル１１９が移動する際の移動軌跡と干渉する干渉部１３４をなす。したがって、図５及び図６に示す構造は、ハンドル１１９が規制位置に位置する場合に規制部ＲＭとして機能し、ハンドル１１９が操作位置に位置する場合に操作部ＷＭとして機能する、
【００３３】
≪盤面保護装置１１１の装着≫
このような構成において、配電盤１１の盤面１２に設けられた盤上操作部１３を保護するには、盤面１２に盤面保護装置１１１を装着し、線ファスナー１１４で連結した一対のシート１１３で盤上操作部１３を覆う。
【００３４】
盤面１２に盤面保護装置１１１を装着するには、まず、一対の盤面保護装置１１１のそれぞれを、保護を要する領域１０１の両側部に取り付ける。取り付けは、支持脚１３１の固定基部１３２を盤面１２に接触させるだけでよい。こうすることで、固定基部１３２が有するマグネット１３３が磁気的に盤面１２に吸着し、盤面１２に支持脚１３１を固定することができる。
【００３５】
次に、盤面保護装置１１１のシート１１３で盤上操作部１３を覆うには、規制位置（図５中、仮想線で示す）に位置するハンドル１１９を回転させて反転させ、操作位置（図５中、実線で示す）に変位させる。規制部ＲＭによるシート保持軸１１２の回転規制を解除し、操作部ＷＭによるシート保持軸１１２の回転操作を可能にするわけである。この状態で、ハンドル１１９を掴んでシート保持軸１１２を回転させる。左側の盤面保護装置１１１は反時計方向、右側の盤面保護装置１１１は時計方向に、である。こうすることで、シート保持軸１１２からシート１１３を引き出すことができる。互いの自由端が接する位置までシート１１３を引き出したら、線ファスナー１１４によってそれらのシート１１３の自由端同士を連結する。リテイナー１１７を利用してスライダー１１６により一対の務歯１１５を噛み合わせ、そのままスライダー１１６を引き下げることで、一対のシート１１３を連結することができる。
【００３６】
次に、一対のシート１１３を連結したならば、一方又は両方の盤面保護装置１１１において、シート１１３を巻き取る方向にシート保持軸１１２を回転させ、連結した一対のシート１１３に生じている弛みを除去する。弛みが除去されたならば、ハンドル１１９を回転させて規制位置（図５中、仮想線で示す）に位置付ける。規制部ＲＭによってシート保持軸１１２の回転を規制するわけである。こうすることで、線ファスナー１１４で連結した一対のシート１１３を、ぴんと張った状態のまま位置不動とすることができる。
【００３７】
以上の操作手順によって、盤面保護装置１１１の装着工程が完了する。もっとも、前述した操作手順は、盤面保護装置１１１の装着工程の一例を示すもので、実施に際しては、別の操作手順で盤面保護装置１１１を装着するようにしてもよい。例えば、予め引き出して規制部ＲＭで引き出し規制した状態の一対のシート１１３を線ファスナー１１４で連結しておき、この状態の盤面保護装置１１１を盤面１２に装着するようにしてもよい。
【００３８】
≪盤上操作部１３の一部開放≫
盤面保護装置１１１で覆った盤面１２上の盤上操作部１３については、その一部について、操作が必要になることがある。この場合、その操作を可能とする一つの手法として、線ファスナー１１４による一対のシート１１３の連結を解除し、操作が必要となった盤上操作部１３の操作を可能とする手法がある。
【００３９】
別の手法としては、線ファスナー１１４を、操作が必要となった盤上操作部１３の位置まで移動させ、この位置で線ファスナー１１４の全部又は一部を開放し、操作が必要となった盤上操作部１３の操作を可能とする手法がある。線ファスナー１１４の位置を移動させるには、規制部ＲＭによるシート保持軸１１２の回転規制を一旦解除し、一方のシート保持軸１１２についてはシート１１３を引き出す方向に、もう一方のシート保持軸１１２についてはシート１１３を巻き取る方向に、それぞれシート保持軸１１２を回転させる。こうすることで、線ファスナー１１４を、操作が必要となった盤上操作部１３の位置まで移動させることができる。この後、必要に応じて、連結状態を維持する一対のシート１１３に生ずる弛みを除去したり、規制部ＲＭによるシート保持軸１１２の回転規制を復活させたりしてもよい。
【００４０】
操作の必要が生じた盤上操作部１３の操作完了後は、再び、一対のシート１１３の自由端を線ファスナー１１４で連結する。この際、線ファスナー１１４の一部のみを開放した場合には、スライダー１１６を再び最下位置までスライド移動させればよい。
【００４１】
≪本実施の形態の盤面保護装置１１１及び盤面保護使用方法の効果≫
本実施の形態の盤面保護装置１１１及び盤面保護使用方法は、次の効果を有する。
【００４２】
（１）連結した一対のシート１１３は、盤面１２に配置された盤上操作部１３の高さよりも高い位置に位置付けられ、この位置で規制部ＲＭによってシート保持軸１１２からの引き出しが規制される。つまり、線ファスナー１１４で連結した一対のシート１１３を、ぴんと張った状態のまま位置不動とすることができるわけである。これにより、一対のシート１１３は、盤上操作部１３に触れてはならないという注意喚起機能を果たすのみならず、作業員の不注意な動作から盤上操作部１３を保護する保護機能をも果たす。
【００４３】
（２）連結した一対のシート１１３が盤面１２を密閉しないため、盤面１２からの発熱を効率よく放熱することができる。このため、配電盤１１を熱による不調から保護することができる。
【００４４】
（３）連結した一対のシート１１３が覆う盤上操作部１３の一部に操作が必要になった場合、線ファスナー１１４による一対のシート１１３の連結を解除することで、煩雑な作業を要することなく、容易に目的とする盤上操作部１３を開放し、これを操作可能とすることができる。
【００４５】
（４）盤面１２に一対の支持脚１３１を固定するだけで、容易に盤面保護装置１１１を装着することができる。しかも、盤面保護装置１１１は、一対のシート１１３によって盤上操作部１３を覆う必要がない場合、これらのシート１１３を一対のシート保持軸１１２に巻き取らせて盤面を開放するという運用を採用することもできる。この場合には、盤面保護装置１１１を盤面１２に固定しっ放しにすることができ、再度の装着の煩から作業者を解放することができる。
【００４６】
（５）盤面保護装置１１１は、ビニールテープを盤上操作部１３に貼り付けるものではないので、盤上操作部１３に粘着物質を残すことがなく、盤上操作部１３を操作した指が粘着物質でベトベトになるというような不都合が生じない。
【００４７】
（６）連結した一対のシート１１３が覆う盤上操作部１３の一部に操作が必要になった場合、規制部ＲＭによる一対のシート保持軸１１２の回転を解除し、一方のシート１１３の引き出しともう一方のシート１１３の巻き戻しとを行なって当該操作の必要が生じた盤上操作部１３の位置に線ファスナー１１４を位置合わせる。その後、規制部ＲＭにより一対のシート保持軸１１２の回転を規制した上で、線ファスナー１１４による一対のシート１１３の連結の一部を解除する。こうすることで、操作してはならない盤上操作部１３を大々的に露出させることなく、操作が必要となった盤上操作部１３を開放し、これを操作可能とすることができる。
【００４８】
（７）上記（６）の操作をすることで、線ファスナー１１４を複数列設けることなく、操作が必要となった盤上操作部１３を開放し、これを操作可能とすることができる。
【００４９】
（８）規制部ＲＭと操作部ＷＭとは、互いの部品の一部を共用する。これにより、構造の単純化、部品コストの低減などの効果が得られる。
【００５０】
（９）本実施の形態では、一対のシート１１３の自由端を連結する締結部材として、線ファスナー１１４を用いている。線ファスナー１１４は、一対のシート１１３の自由端を隙間なく連結できるという好ましい特長を備えている。しかも、一対のシート１１３の連結部分を一部部分のみ開放できるという点でも、極め望ましい。
【００５１】
（１０）一対の支持脚１３１は、マグネット１３３の磁力を利用して容易に配電盤１１の盤面１２に固定することができる。もっとも、装着に際しては、配電盤１１やその周辺機器に対して、不要にマグネット１３３が吸着しないよう、十分な注意を払うことが肝要である。この注意さえ怠らなければ、配電盤１１の盤面１２に対する盤面保護装置１１１の装着作業の容易化を図ることができる。
【００５２】
２．第二の実施の形態
盤面保護装置１１１及び盤面保護使用方法の第二の実施の形態を、図１ないし図６に基づいて説明する。第一の実施の形態と同一部分は同一符号で示し、説明も省略する。
【００５３】
≪盤面保護装置１１１の構造≫
本実施の形態は、一対のシート保持軸１１２のそれぞれに、シート１１３を巻き取る方向の付勢力を与えるリワインド機構（図示せず）を設けた点で、第一の実施の形態と相違する。リワインド機構は、一例として、一対の支持脚１３１のそれぞれに設けた、ゼンマイ（図示せず）を利用する機構により実現可能である。つまり、ゼンマイは、一端を支持脚１３１に、別の一端をシート保持軸１１２に連結固定され、シート１１３の引き出しに伴うシート保持軸１１２の回転に応じて巻かれ、復元力を蓄える。そこで、引き出したシート１１３からこれを引出位置に位置させる外力を抜き去ると、ゼンマイが自らに蓄えた復元力によって巻き戻され、シート１１３を巻き戻す方向にシート保持軸１１２を回転させるわけである。
【００５４】
本実施の形態においては、一対のシート保持軸１１２を巻き戻すリワインド機構を採用したが故に、操作部ＷＭを必要としない。そこで、一例として、第一の実施の形態では操作基部１１８に対して１８０度の範囲で回転自在としたハンドル１１９を、規制位置（図５中、仮想線で示す）と非規制位置との間でのみ変位するよう、その回転範囲を９０度程度にすればよい。この場合、ハンドル１１９は、「ハンドル」というシート保持軸１１２を回転操作させる部材としての名称よりはむしろ、「ストッパ」とでも称した方がふさわしかろう。
【００５５】
≪盤面保護装置１１１の装着≫
本実施の形態において、盤面１２に盤面保護装置１１１を装着するに際して第一の実施の形態と相違する点は、線ファスナー１１４で連結した一対のシート１１３の弛みを除去するための操作手順である。つまり、本実施の形態においては、リワインド機構が、シート１１３を巻き戻す方向にシート保持軸１１２を回転させるので、一対のシート１１３の弛みを除去するための操作手順が不要となる。
【００５６】
≪盤上操作部１３の一部開放≫
盤面保護装置１１１で覆った盤面１２上の盤上操作部１３については、その一部について、操作が必要になることがある。この場合、本実施の形態が第一の実施の形態と相違するのは、線ファスナー１１４を、操作が必要となった盤上操作部１３の位置まで移動させるための操作手順である。本実施の形態では、一対の規制部ＲＭによる一対のシート保持軸１１２の回転規制を解除した後、線ファスナー１１４で連結した一対のシート１１３を持ち、操作が必要となった盤上操作部１３の位置に線ファスナー１１４を移動させ、再び、一対の規制部ＲＭにより一対のシート保持軸１１２を回転規制するだけでよい。一方のシート保持軸１１２による一方のシート１１３の引き出し操作ともう一方のシート保持軸１１２によるもう一方のシート１１３の巻き取り操作とを共に行なうような、面倒な操作が不要である。
【００５７】
≪本実施の形態の盤面保護装置１１１及び盤面保護使用方法の効果≫
本実施の形態の盤面保護装置１１１及び盤面保護使用方法によれば、上述したように、盤面保護装置１１１の装着に際して、また、盤上操作部１３の一部開放に際して、リワインド機構がシート１１３を巻き取る方向にシート保持軸１１２を自動的に回転させるので、操作の簡略化が図られ、作業性が良好になる。
３．第三の実施の形態
盤面保護装置１１１及び盤面保護使用方法の第三の実施の形態を、図７に基づいて説明する。第一の実施の形態と同一部分は同一符号で示し、説明も省略する。
【００５８】
≪盤面保護装置１１１の構造≫
本実施の形態は、線ファスナー１１４の構造のみ、第一の実施の形態と相違する。本実施の形態の線ファスナー１１４は、スライダー１１６を一対備えている。それぞれのスライダー１１６は、シート１１３の中央部から側端部に向けてスライドすることによって、一対の務歯１１５の噛み合いを開放する。つまり、線ファスナー１１４は、一対のシート１１３の上部と下部とにリテイナー１１７を備えており、下方に位置するスライダー１１６は下方に位置するリテイナー１１７から、上方に位置するスライダー１１６は上方に位置するリテイナー１１７から、それぞれ一対の務歯１１５を噛み合わせることができる。このような構造上、一対のスライダー１１６を互いに近接させると、一対の務歯１１５は全体的に噛み合った状態となり、一対のスライダー１１６を互いに離反させると、離反した部分においてのみ一対の務歯１１５の噛み合いが解除され、この部分を開放することができる。
【００５９】
≪盤面保護装置１１１の装着≫
本実施の形態において、盤面１２に盤面保護装置１１１を装着するに際して第一の実施の形態と相違する点は、二つのスライダー１１６で一対の務歯１１５を噛み合わせる、という点のみである。つまり、上方に位置するリテイナー１１７を利用して上方に位置するスライダー１１６により一対の務歯１１５を噛み合わせ、下方に位置するリテイナー１１７を利用して下方に位置するスライダー１１６により一対の務歯１１５を噛み合わせ、これらの上下二つのスライダー１１６を互いに近接させて接触させる。これにより、一対のシート１１３を連結することができる。
【００６０】
≪盤上操作部１３の一部開放≫
盤面保護装置１１１で覆った盤面１２上の盤上操作部１３については、その一部について、操作が必要になることがある。この場合、本実施の形態では、その操作が必要となった盤上操作部１３の部分のみ、連結する一対のシート１１３を開放することができる。
【００６１】
そのための操作としては、まず、第一の実施の形態と同様に、線ファスナー１１４を、操作が必要となった盤上操作部１３の位置まで移動させる。この操作手順については、第一の実施の形態と同様なので、説明を省略する。
【００６２】
次に、操作が必要となった盤上操作部１３の位置のみ、線ファスナー１１４を開放する。この操作手順は、一対のスライダー１１６を離反させることで、容易に実現可能である。この際、一つのやり方としては、一対のスライダー１１６を共に目的とする盤上操作部１３の位置に対面させ、その後、一対のスライダー１１６を互いに離反させる。別のやり方としては、一方のスライダー１１６をスライド移動させて目的とする盤上操作部１３を開放し、その後、目的とする盤上操作部１３の開放状態が維持される程度まで、もう一方のスライダー１１６をスライド移動させて最初にスライド移動させてスライダー１１６に近接させる。いずれにしても、操作が必要となった盤上操作部１３のみをターゲットとして、この盤上操作部１３を露出させるシート１１３の一部のみを開放することができる。
【００６３】
操作の必要が生じた盤上操作部１３の操作完了後は、一対のスライダー１１６を互いに近接する方向にスライドさせて、一対のシート１１３の開放部分を再び閉じる。
【００６４】
≪本実施の形態の盤面保護装置１１１及び盤面保護使用方法の効果≫
本実施の形態の盤面保護装置１１１及び盤面保護使用方法によれば、操作してはならない盤上操作部１３を全く露出させることなく、操作が必要となった盤上操作部１３のみを開放し、これを操作可能とすることができる。
【００６５】
４．第四の実施の形態
盤面保護装置１１１及び盤面保護使用方法の第四の実施の形態を、図７に基づいて説明する。第三の実施の形態と同一部分は同一符号で示し、説明も省略する。
【００６６】
≪盤面保護装置１１１の構造≫
本実施の形態は、一対のシート保持軸１１２のそれぞれに、シート１１３を巻き取る方向の付勢力を与えるリワインド機構（図示せず）を設けた点で、第三の実施の形態と相違する。リワインド機構は、一例として、一対の支持脚１３１のそれぞれに設けた、ゼンマイ（図示せず）を利用する機構により実現可能である。つまり、ゼンマイは、一端を支持脚１３１に、別の一端をシート保持軸１１２に連結固定され、シート１１３の引き出しに伴うシート保持軸１１２の回転に応じて巻かれ、復元力を蓄える。そこで、引き出したシート１１３からこれを引出位置に位置させる外力を抜き去ると、ゼンマイが自らに蓄えた復元力によって巻き戻され、シート１１３を巻き戻す方向にシート保持軸１１２を回転させるわけである。
【００６７】
本実施の形態においては、一対のシート保持軸１１２を巻き戻すリワインド機構を採用したが故に、操作部ＷＭを必要としない。そこで、一例として、第一及び第三の実施の形態では操作基部１１８に対して１８０度の範囲で回転自在としたハンドル１１９を、規制位置（図５中、仮想線で示す）と非規制位置との間でのみ変位するよう、その回転範囲を９０度程度にすればよい。この場合、ハンドル１１９は、「ハンドル」というシート保持軸１１２を回転操作させる部材としての名称よりはむしろ、「ストッパ」とでも称した方がふさわしかろう。
【００６８】
≪盤面保護装置１１１の装着≫
本実施の形態において、盤面１２に盤面保護装置１１１を装着するに際して第三の実施の形態と相違する点は、線ファスナー１１４で連結した一対のシート１１３の弛みを除去するための操作手順である。つまり、本実施の形態においては、リワインド機構が、シート１１３を巻き戻す方向にシート保持軸１１２を回転させるので、一対のシート１１３の弛みを除去するための操作手順が不要となる。
【００６９】
≪盤上操作部１３の一部開放≫
盤面保護装置１１１で覆った盤面１２上の盤上操作部１３については、その一部について、操作が必要になることがある。この場合、本実施の形態では、その操作が必要となった盤上操作部１３の部分のみ、連結する一対のシート１１３を開放することができる。この点は、第三の実施の形態と同様である。
【００７０】
第三の実施の形態と相違するのは、線ファスナー１１４を、操作が必要となった盤上操作部１３の位置まで移動させる操作手順である。本実施の形態では、一対の規制部ＲＭによる一対のシート保持軸１１２の回転規制を解除した後、線ファスナー１１４で連結した一対のシート１１３を持ち、操作が必要となった盤上操作部１３の位置に線ファスナー１１４を移動させ、再び、一対の規制部ＲＭにより一対のシート保持軸１１２を回転規制するだけでよい。一方のシート保持軸１１２による一方のシート１１３の引き出し操作ともう一方のシート保持軸１１２によるもう一方のシート１１３の巻き取り操作とを共に行なうような、面倒な操作が不要である。
【００７１】
≪本実施の形態の盤面保護装置１１１及び盤面保護使用方法の効果≫
本実施の形態の盤面保護装置１１１及び盤面保護使用方法によれば、上述したように、盤面保護装置１１１の装着に際して、また、盤上操作部１３の一部開放に際して、リワインド機構がシート１１３を巻き取る方向にシート保持軸１１２を自動的に回転させるので、操作の簡略化が図られ、作業性が良好になる。
【００７２】
５．変形例
以上、本実施の形態について説明した。実施に際しては、本実施の形態そのままではなく、各種の変形や変更が可能である。
【００７３】
例えば、盤面保護装置１１１を、配電盤１１の盤面１２に対して着脱自在とせず、例えば接着剤によって盤面１２に固着させてしまってもよい。
【００７４】
また、本実施の形態では、一対のシート１１３の自由端を連結する構造として線ファスナー１１４を用いたが、実施に際しては、ボタン、フックなどの点ファスナー、あるいは面ファスナーを用いてもよい。
【００７５】
更に、本実施の形態では、規制部ＲＭと操作部ＷＭとで、機構及び部品の共通化を図ったが、この共通化は必須ではなく、規制部ＲＭは規制部ＲＭ、操作部ＷＭは操作部ＷＭとして、別個独立の機構及び部品によって実現してもよい。
【符号の説明】
【００７６】
１２  盤面
１３  盤上操作部
１１２  シート保持軸
１１３  シート
１１４  線ファスナー（締着部材）
１１５  務歯
１１６  スライダー
１１８  操作基部
１１９  ハンドル
１３１  支持脚
１３３  マグネット
１３４  干渉部
ＲＭ  規制部
ＷＭ  操作部
【図１】
2013074744.tif 000003
【図２】
2013074744.tif 000004
【図３】
2013074744.tif 000005
【図４】
2013074744.tif 000006
【図５】
2013074744.tif 000007
【図６】
2013074744.tif 000008
【図７】
2013074744.tif 000009